(57)【要約】【課題】奇異感・軽快感の強い架構を提供する。【解決手段】圧縮状態の部材と引張状態の部材によって、全方向回転ピンを介して物体同士または物体と基礎を連結する。【選択図】　　　図１
2004019420.tif 000002
【特許請求の範囲】
【請求項１】
全軸線が１平面上に位置するか１点に交わるか互いに平行であるか１直線に交わるか、全本数が５本以下であるか、またはこれらの特徴の幾つかを併せもつ、圧縮状態の部材（１）と引張状態の部材（２）の組み合わせからなる部材群によって、全方向回転ピン（３）を介して物体（４）と物体（４）、または物体（４）と基礎（５）を連結して構成された張力安定連結架構
【発明の詳細な説明】
【０００１】
【発明の属する技術分野】
本発明は構造力学上、物体を直線状の部材によって全方向回転ピンを介して不動箇所と立体的に連結して支持するときの釣合に関連する。
【０００２】
【従来の技術】
直線状の部材６本以上によって全方向回転ピンを介して物体と物体、または物体と基礎を立体的に連結すると安定架構となり得るので従来実用されている。従来の方法では、全部材の軸線が１平面上に位置するか、１点に交わるか、互いに平行であるか、１直線に交わるか、或いは全部材の本数が５本以下であれば不安定となるので実用されず、奇異感・軽快感の強い連結架構は構成され得ない。同様の連結を繰り返した連鎖架構の連結箇所毎についても同様である。
【０００３】
【発明が解決しようとする課題】
直線状の部材によって全方向回転ピンを介して物体と物体、または物体と基礎を立体的に連結して安定架構を構成するのに、従来不安定と認識される、全部材の軸線が一平面上に位置すること、１点に交わること、互いに平行であること、１直線に交わること、或いは全部材の本数が５本以下であること、並びにこれらの特徴の幾つかを併せもつことを可能にしたい。これによって奇異感・軽快感の強い連結架構を提供したい。同様の連結を繰り返して構成した連鎖架構の連結箇所毎についても同様である。
【０００４】
【課題を解決するための手段】
直線状の部材群を、圧縮状態の部材と引張状態の部材の組み合わせで構成し、それらによって全方向回転ピンを介して物体と物体、または物体と基礎を立体的に連結した架構は、物体と基礎の形状・ピンの位置・部材の配置と元応力の大きさが適当であれば、各部分が接触せずに内部の弾性エネルギーが極小となる姿勢で安定平衡し、その姿勢への復元力をもつ張力安定架構となる。その安定平衡姿勢の中に全部材軸線が１平面上に位置するもの、１点に交わるもの、互いに平行であるもの、１直線に交わるもの、全部材の本数が５本以下のもの並びにこれらの特徴の幾つかを併せもつものがあり、引張状態の部材は細い紐状とすることができ、十分に軽快感・奇異感の強い連結架構の構成が可能となる。この連結を繰り返した連鎖架構の連結箇所毎についても同様である。
【０００５】
【発明の実施の形態】
圧縮状態の部材の材料には、金属・硬質プラスチック・鉄筋コンクリート・木材などの耐圧縮性のものを用い、引張状態の部材には、金属棒などのほか、ワイヤロープ・金属線・鎖・スプリング・化学繊維・綱・ゴム紐などの紐状のものを用い、全方向回転ピンを介して物体と物体を連結した架構、その連結を繰り返した連鎖架構並びにそれらの一部の物体を基礎に替えた架構に係るものである。
【０００６】
引張状態の部材端は物体または基礎に固着した形式でも実用上全方向回転ピンとしての機能があれば、その箇所を全方向回転ピンとして扱うことができ、また内的安定構造物を物体として扱うことができる。
【０００７】
連結される２物体上の各ピン群は安定平衡姿勢において１平面によってその両側に分けられる位置関係の構成とし、物体と基礎の連結に関しても同様とする。
【０００８】
圧縮状態の部材・引張状態の部材・全方向回転ピン・物体・基礎同士は、全方向回転ピンの連結の接触を除き、互いに接触せずに安定平衡姿勢となる構成とする。
【０００９】
【実施例】
実施例について、圧縮状態の部材（１）は鎖線、引張状態の部材（２）は点線、全方向回転ピン（３）は小円で表示し、物体（４）と基礎（５）は実線を用いて平板か折板で表現した図面を参照して以下に説明する。
【００１０】
図１は、２本の圧縮状態の部材（１）と２本の引張り状態の部材（２）によって全方向回転ピン（３）を介して物体（４）同士を連結する形に構成され、全部材の軸線が互いに平行である架構の斜面図であり、一方の物体（４）を基礎（５）に替えることもできる。
【００１１】
図２は、１本の圧縮状態の部材（１）と２本の引張状態の部材（２）によって全方向回転ピン（３）を介して物体（４）同士を連結する形に構成され、全部材の軸線が１平面上に位置して互いに平行である架構の斜面図であり、一方の物体（４）を基礎（５）に替えることもできる。
【００１２】
図３は、１本の圧縮状態の部材（１）と３本の引張状態の部材（２）によって全方向回転ピン（３）を介して物体（４）同士を連結する形に構成され、全部材の軸線が１点に交わる架構の斜面図であり、一方の物体（４）を基礎（５）に替えることもできる。
【００１３】
図４は、２本の圧縮状態の部材（１）と２本の引張状態の部材（２）によって全方向回転ピン（３）を介して物体（４）同士を連結する形に構成され、全部材の軸線が投影方向の直線に交わる架構の、斜面図であり、一方の物体（４）を基礎（５）に替えることもできる。
【００１４】
図５は、３本の圧縮状態の部材（１）と２本の引張状態の部材（２）によって全方向回転ピン（３）を介して物体（４）同士を連結する形に構成された架構の斜面図であり、一方の物体（４）を基礎（５）に替えることもできる。
【００１５】
図６は、３本の圧縮状態の部材（１）と３本の引張状態の部材（２）によって全方向回転ピン（３）を介して物体（４）同士を連結する形に構成され、全部材の軸線が互いに平行である架構の斜面図であり、一方の物体（４）を基礎（５）に替えることもできる。
【００１６】
図７は、物体（４）の形状は異なるが図１に類似する連結を繰り返して構成された線状の連鎖架構の斜面図であり、端部の物体（４）を基礎（５）に替えることもできる。
【００１７】
図８は、物体（４）の形状は異なるが図２に類似する連結を繰り返して構成された線状の連鎖架構の正面図であり、端部の物体（４）を基礎（５）に替えることもできる。
【００１８】
図９は、図２並びに図８に類似する連結で構成されたアーチ状の連鎖架構の正面図であり、両端においては物体（４）と基礎（５）の連結としたものである。
【００１９】
【発明の効果】
本発明は、以上説明したような形態で実施され、以下に述べる効果がある。
【００２０】
本発明は各種の物体同士または物体と基礎の奇異感・軽快感の強い連結に利用され得る。
【００２１】
本発明によって、屋根や構造物を支持すれば、奇異感・軽快感の強い建築物や建築空間が得られる。
【００２２】
本発明の架構は変形し易い設計が容易で、免震支承として利用され得る。
【００２３】
本発明の直線状または曲線状連鎖架構は、構造物において奇異感・軽快感の強い主骨組や塔、或いは柱・片持梁・梁などの部材として使用され得る。
【００２４】
形状、変形し易さ、或いはそれら両方による奇異感・軽快感の強いモニュメント・オブジェ・遊戯施設・家具・器具・玩具・装身具などに利用され得る。
【図面の簡単な説明】
【図１】圧縮状態の部材２本と引張状態の部材２本の全部材軸線が互いに平行である架構の斜面図である。
【図２】圧縮状態の部材１本と引張状態の部材２本の全部材軸線が１平面内に位置し互いに平行である架構の斜面図である。
【図３】圧縮状態の部材１本と引張状態の部材３本の全部材軸線が１点で交わる架構の斜面図である。
【図４】圧縮状態の部材２本と引張状態の部材２本の全部材軸線が直線に交わる架構の斜面図である。
【図５】圧縮状態の部材３本と引張状態の部材２本で構成された架構の斜面図である。
【図６】圧縮状態の部材３本と引張状態の部材３本の全部材軸線が互いに平行である架構の斜面図である。
【図７】図１に類似する連結の繰り返しによる線状連鎖架構の斜面図である。
【図８】図２に類似する連結の繰り返しによる線状連鎖架構の正面図である。
【図９】図２並びに図８に類似する連結の繰り返しによるアーチ状連鎖架構の正面図である。
【符号の説明】
１　圧縮状態の部材
２　引張状態の部材
３　全方向回転ピン
４　物体
５　基礎
【図１】
2004019420.tif 000003
【図２】
2004019420.tif 000004
【図３】
2004019420.tif 000005
【図４】
2004019420.tif 000006
【図５】
2004019420.tif 000007
【図６】
2004019420.tif 000008
【図７】
2004019420.tif 000009
【図８】
2004019420.tif 000010
【図９】
2004019420.tif 000011